(57)【特許請求の範囲】
【請求項１】
ボルトとナットとから成り、前記ボルトの軸部に、被締結体を締結するに必要なねじ部を残して、ナットの介入を許容する幅の凹陥部を軸部の周囲に沿って設け、前記凹陥部によって形成された細軸部を、軸部に対し、扁心状に設けたことを特徴とするボルトとナットから成る締結具におけるナットの脱落防止機構。
【請求項２】
ボルトとナットとから成り、前記ボルトの軸部に、被締結体を締結するに必要なねじ部を残して、ナットの介入を許容する幅の凹陥部を軸部の周囲に沿って設け、前記凹陥部によって形成された細軸部を、長手方向に円錐状に形成したことを特徴とするボルトとナットから成る締結具におけるナットの脱落防止機構。
【請求項３】
ナットが、一方の面に、傾斜面を有して成る請求項１または２記載のボルトとナットから成る締結具におけるナットの脱落防止機構。
【請求項４】
ボルトとナットとから成り、前記ボルトの軸部に、被締結体を締結するに必要なねじ部を残して、ナットの介入を許容する幅の凹陥部を軸部の周囲に沿って設け、かつ、前記ナットの一方の面を、傾斜面としたことを特徴とするボルトとナットから成る締結具におけるナットの脱落防止機構。
【請求項５】
板片を折曲して、軸部の端部分を軸方向で挟み込みできるように、係止片と頂片と当片とにより下向きコ字状に形成し、前記係止片に、細軸部を係合する係合孔と、それから、細軸部の径よりも若干小さい幅の開口端を介して下方に連続して末広状に延び、下端で開放した案内溝とを設け、また当片の下端に、軸部の端部分に係止する爪片を設けて成る請求項１、２、３または４記載のボルトとナットから成る締結具におけるナットの脱落防止機構。
【発明の詳細な説明】
【０００１】
【発明の属する技術分野】
本願発明は、ボルトとナットから成る締結具におけるナットの脱落防止装置に関し、特に、外部振動が頻度に加わり、それによってナットが緩んで脱落することにより、大事故につながる惧れのある例えば電車線の支持機構における各部品を締結する締結具において有効なナットの脱落防止装置に関する。
【０００２】
【従来の技術】
一般に、電車線の支持機構などにおいては、多くのボルトとナットから成る締結具が使用されており、この支持機構には、電車の走行に伴い或いは風圧などにより頻度に、かつ、激しく外部振動が加わり、それによって締結具が徐々に緩み、遂には、ナットがボルトから脱落して大きな事故を誘発する惧れがある。
【０００３】
そこで、従来は、ボルトの端部位置に直径方向で貫通する割りピンの挿通孔を設け、ボルトにナットを螺合して被締結体を締結したのち、前記挿通孔に割りピンを挿通し、次いで割りピンの下端を割り溝から開いてナットのボルトからの脱落を防止していた。
【０００４】
【発明が解決しようとする課題】
ところが、ボルトとナットの締結作業において、往々にして作業者が挿通孔に対する割りピンの挿通を失念したり、或いは挿通孔に割りピンを挿通したものの、割りピンの下端を開く作業を失念し、そのため割りピンがボルトから抜脱して、ナットの脱落を招くという不都合があった。
【０００５】
【課題を解決するための手段】
そこで、上記した従来の不都合を解消するために、ボルトとナットとから成り、前記ボルトの軸部に、被締結体を締結するに必要なねじ部を残して、ナットの介入を許容する幅の凹陥部を軸部の周囲に沿って設け、前記凹陥部によって形成された細軸部を、軸部に対し、扁心状に設けたことを特徴とするものであり、また、本願は、ボルトとナットとから成り、前記ボルトの軸部に、被締結体を締結するに必要なねじ部を残して、ナットの介入を許容する幅の凹陥部を軸部の周囲に沿って設け、前記凹陥部によって形成された細軸部を、長手方向に円錐状に形成したことを特徴とするものである。
【０００６】
本願は、上記した構成において、好ましくは、ナットが、その一方の面に傾斜面を有して成り、この傾斜面を有したナットを使用するときは、必ずしも細軸部が扁心状乃至円錐状に構成する必要はない。
【０００７】
また、さらに、上記した構成において、ナットの脱落防止をより確実にするために、板片を折曲して、軸部の端部分を軸方向で挟み込みできるように、係止片と頂片と当片とにより下向きコ字状に形成し、前記係止片に、細軸部を係合する係合孔と、それから、細軸部の径よりも若干小さい幅の開口端を介して下方に連続して末広状に延び、下端で開放した案内溝とを設け、また当片の下端に、軸部の軸部分に係止する爪片を設けて成るものである。
【０００８】
【実施の形態】
以下図面にもとづいて、本願の実施の形態を詳述すると、図１はボルト１の平面図を、図３は、ナット２の平面図をそれぞれ示している。
【０００９】
前記ボルト１は、一端部に正六角形状の頭部１０を有した軸部１１に、ねじ１２を施して成り、この軸部１１に、締結しようとする２つの被締結体Ａ，Ｂ（図５参照）を、ナット２によって締結するに必要充分なねじ部分１２ａを残して、ナット２が介入するに必要な幅ｔをもつ凹陥部１３が設けてある。
【００１０】
この凹陥部１３は、軸部１１の周囲に沿って形成されており、この凹陥部１３の位置に細軸部１４が設けられる。この細軸部１４は、軸部１１に対し同心円状に設けてもよいが、好ましくは図１，２で明らかなように、扁心状に設けられる。
【００１１】
前記ナット２は、前後面の一方に、斜状にカットされた傾斜面２０を有しており、その最も厚味のある部分が介入できるように、前記凹陥部の幅ｔは設定される。
【００１２】
このように構成されたボルト１とナット２は、従来の同様に、締結しようとする２つの被締結体Ａ，Ｂを、図４の仮想線で示すように締結する。
【００１３】
しかして、この状態から、徐々にではあるが、外部振動などの作用により、ナット２が緩み、次いでナット２が軸部２のねじ部分１２ａから脱すると、図４の実線で示すように、ナット２は凹陥部１３に落ち込む。
【００１４】
従って、ナット２は凹陥部１３の位置に止まって、ボルト１から脱落する惧れを回避することができる。
【００１５】
ところで、上記において、ナット２がボルト１の凹陥部１３に介入した状態において、外部振動などの作用により、ナット２は、凹陥部１３内で極めて複雑な動きをする。
【００１６】
すなわち、ナット２は、凹陥部１３内で細軸部１４の回りを回動したり、軸芯と直交する方向に揺動したり、或いは軸芯方向に移動したり、しかも、これらの相互作用により、予想することもできない極めて複雑な動きをする。
【００１７】
しかして、前記した構成において、例えば細軸部１４を、軸部１１に対し同心円状に形成した場合、上記した極めて複雑なナット２の動きにより、極く稀ではあるが、ナット２が細軸部１４に対し同心円状に回動する可能性を有する。
【００１８】
そして、ナット２が、細軸部１４に対し同心円状に回動することは、ナット２が、軸部１１に対しても同心円状に回動することになり、このナット２の同心円状の回動により、極く稀ではあるが、ナット２が軸部１１の端部分１１ａのねじ部に螺合する可能性する。
【００１９】
このナット２が、軸部１１の端部分１１ａのねじ部に螺合する可能性は、従来のように、両面が垂直面で対向する構成のナットを用いた場合において高くなる。
【００２０】
そして、ナット２が軸部１１の端部分１１ａのねじ部に僅かでも螺合すると、それ以後は、ナット２が前記ねじ部に対し充分な螺合状態を形成し、遂にはナット２が端部分１１ａから脱落する惧れを有する。
【００２１】
これに対し、細軸部１４を扁心状に設けるときは、ナット２は、外部振動作用により、細軸部１４に対し同心円状に回動しても、軸部１１に対しては、同心円状の関係にないので、ナット２が、軸部１１の端部分１１ａのねじ部に螺合する確率は極めて少なく、従って、より確実にナット２の脱落を防止することができる。
【００２２】
上記した外部振動作用によるナット２の動きと、ボルト１の端部分１１ａのねじ部との関係は、ナット２の両面が垂直面で対向した従来構成のナットを使用した場合にも同様である。
【００２３】
すなわち、軸部１１に対し細軸部１４を同心円状に形成したボルト１に、両面が垂直面で対向した従来構成のナットを使用した場合よりも、軸部１１に対し細軸部１４を扁心状に形成したボルト１に、従来構成のナットを使用した場合の方が、ナットの脱落防止に有利であるといえる。
【００２４】
本願は、上記において、さらにナットの脱落防止をより確実にするために、一方の面を傾斜面２０とするナット２を使用することを要件とするものである。
【００２５】
この構成によれば、ナット２が凹陥部１３内に介入した図４実線で示す状態において、ナット２に外部振動が作用したとき、ナット２は、３６０度の面において質量を異にすること及び軸部１１の端部分１１ａの垂直な壁面ｐと接するナット２の面が傾斜面であることから、ナット２が単純に細軸部１４の軸芯に対し直交方向に遊動する可能性は少なく、従って、ナット２が軸部１１の端部分１１ａのねじ部に螺合する可能性は、両面が垂直面で対向した従来構成のナットを使用した場合に比し、遙に少なく、これによっても、ボルト１からのナット２の脱落防止を、より確実に達成することができる。
【００２６】
図５は、上記した構成において、細軸部１４を、その長手方向において円錐形状に、すなわち、軸径が一方の端部から他方の端部に向かって、漸次小径となるように形成した場合の他の実施例を示しており、この構成によれば、凹陥部１３に介入したナット２は、図５の仮想線で示すように、その両面が、垂直面で対向する従来構成のナットを使用した場合であっても、ナットが凹陥部１３に介入した状態において、凹陥部１３の垂直な壁面ｐに対し、ナット２が傾斜した状態におかれるので、この構成の場合においても、ナット２の脱落防止をより確実に達成することができる。
【００２７】
図６は、軸部１１に凹陥部１３を形成したボルト１と、一面に傾斜部２０を有したナット２とから成る締結具において、ナット２の脱落防止をより一層確実にするために、止具３を設けた場合の他の実施例を示している。
【００２８】
前記止具３は、図７で示すように、合成樹脂，或いは、鋼板から成る長尺な板片３０を、破線を示す折線位置で下向きコ字状に屈曲して成る。
【００２９】
具体的には、ボルト１の軸部１１の直径よりも充分長い係止片３１と、ボルト１の端部分１１ａの長さに適合する幅を有した頂片３２と、前記ボルト１の軸部１１の直径よりも若干長い当片３３とを、下向きコ字状に形成している。
【００３０】
前記係止片３１には、前記細軸部１４を嵌合するに適した大きさの係合孔３４と、前記細軸部１４の直径よりも若干狭い開口端３５から連続して末広状に延び、下端で開放した案内溝３６とが設けてある。
【００３１】
また、前記係合孔３４の頂点位置から、頂片３２にかけて延びるスリット３７が設けてあり、さらに当片３２の下縁には、軸部１１の端部分１１ａの外周面に係止する内向きに折曲したリブ３８が設けてある。
【００３２】
このように構成された止具３は、図６で示すように、係止片３１と当片３２との間に、軸部１１の端部分１１ａを挟み込むように、例えば上方より頂部３１を押し込む。
【００３３】
すると、細軸部１４が、案内溝３６内に導かれ、次いで案内溝３６の開口端３５が、スリット３７を介して一時的に押し広げられて細軸部１４は係合孔３４に係合する。
【００３４】
このようにして、止具３をボルトに取り付けることにより、図６で明らかなように、係止片３１が、ナット２と軸部１１の端部分１１ａとの間に介在するので、ボルト１の凹陥部１３内に介入したナット２が、外部振動などによって、万一端部分１１ａのねじ部に螺合しようとしても、該ナット２は、係止片３１に抑止されて、ナット２のボルト１からの脱落は完全に阻止される。このことは、両面が垂直面で対向する従来構成のナットを使用した場合も同様である。
【００３５】
【発明の効果】
本願発明は、叙上のように、構成されているので、ナットをボルトに対し螺合して２つの被締結体を締結するという作業のみによって、ナットのボルトからの脱落を確実に防止することができるという利点を有する。
【００３６】
さらに、請求項２，３及び４記載の各発明によれば、ナットの脱落防止をより確実に達成することができる。
【００３７】
さらにまた、請求項５記載の発明によれば、ナットの脱落を完全に防止することができるという利点を有する。
【図面の簡単な説明】
【図１】ボルトの平面図
【図２】図１のＩ−Ｉ線断面図
【図３】ナットの平面図
【図４】ボルトとナットとの関係を示す平面図
【図５】他の実施例におけるボルトの平面図
【図６】他の実施例におけるボルトとナットとの関係を示す平面図
【図７】止具の展開平面図
【図８】止具の平面図
【図９】止具の断面図
【符号の説明】
１  ボルト
２  ナット
３  止具
１１  軸部
１１ａ  端部分
１２  ねじ
１３  凹陥部
１４  細軸部
２０  傾斜面
３１  係止片
３２  頂片
３３  当片
３４  係合孔
３５  開口端
３６  案内溝
３７  スリット
【図１】
0003567173.tif 000002
【図２】
0003567173.tif 000003
【図３】
0003567173.tif 000004
【図４】
0003567173.tif 000005
【図５】
0003567173.tif 000006
【図６】
0003567173.tif 000007
【図７】
0003567173.tif 000008
【図８】
0003567173.tif 000009
【図９】
0003567173.tif 000010